(57)【特許請求の範囲】
【請求項１】
浴室に設けた吸込口及び吹出口を通じて浴室内の空調を行う浴室空調装置と、浴室の外部に設けられて大気を酸素富化膜に通すことで高酸素濃度の酸素富化空気を得る酸素富化装置を備え、酸素富化装置で得た酸素富化空気を吹出口から浴室内に供給する浴室空調システムであって、
吸込口及び吹出口を循環風路を介して連通接続し、循環風路に、吸込口から浴室内の空気を吸い込むと共に吸い込んだ空気を吹出口から浴室内に吹き出すファンと、加熱手段を設け、循環風路におけるファンよりも下流側の位置に浴室の外部に通じる分岐風路を接続し、
ファンを運転して吸込口から浴室内の空気を吸い込むと共に吸い込んだ空気を加熱手段で加熱した後に吹出口から浴室内に吹き出す暖房モードと、ファンを運転して循環風路に吸込口から浴室内の空気を吸い込んで、吸い込んだ空気の一部を分岐風路を介して浴室の外部に排気すると共にその他を吹出口から浴室内に吹き出す涼風モードを備え、
酸素富化装置は、酸素富化空気を空気供給路を介して分岐風路よりも上流側の循環風路内に送ることで、酸素富化空気を暖房モード及び涼風モードにおいて運転されるファンにより吹出口から浴室内に吹き出すものであって、
空気供給路の下流端開口から滴下する水を乾燥する乾燥手段として、分岐風路よりも上流側の循環風路に、空気供給路の下流端開口の下方に位置して、空気供給路から滴下する水を受ける水受け部を設けたことを特徴とする浴室空調システム。
【請求項２】
酸素富化装置を浴室空調装置とは別体にして、浴室空調装置と酸素富化装置を空気供給路を介して接続し、酸素富化装置は酸素富化空気を浴室空調装置を介して循環風路内に送るポンプを備え、空気供給路の途中にポンプで発生する騒音が浴室空調装置側に伝わることを防止するための消音タンクを設けて成ることを特徴とする請求項１に記載の浴室空調システム。
【発明の詳細な説明】
【技術分野】
【０００１】
本発明は暖房、涼風、乾燥、換気等の浴室内空調を行う浴室空調システムに関する。
【背景技術】
【０００２】
例えば特許文献１には、浴槽内にジェット水流を生じさせるジェットバス装置や浴槽内の湯水に微細気泡を発生させる微細気泡発生装置を備えた浴槽装置に高酸素濃度の酸素富化空気を発生させる酸素富化装置を設けたものが開示してある。このものは酸素富化装置で発生させた酸素富化空気をジェット水流に混合したり、微細気泡として発生させたりでき、浴槽内で酸素富化空気を発生させることで、浴槽内の湯水の水面付近の酸素濃度を高めて、浴槽に居る入浴者の心肺機能の負担を軽減し、快適度を高める。
【０００３】
しかし上記のものは浴室内に酸素富化空気を供給するにはジェットバス装置や微細気泡発生装置を設け、尚且つこれら浴槽にジェット水流や微細気泡を発生させる装置を酸素富化装置と同時に運転する必要がある。また上記ジェットバス装置や微細気泡発生装置を設けることなく酸素富化空気を浴室に供給するには、例えば浴室に酸素富化空気供給用の開口部を設け、該開口部から酸素富化装置で発生した酸素富化空気を浴室内に供給すれば良いが、この場合は浴室に酸素富化空気を供給するための開口部を新たに設ける必要があってコストがかかる。
【特許文献１】特開２００５−３２４００１号公報
【発明の開示】
【発明が解決しようとする課題】
【０００４】
本発明は上記従来の問題点に鑑みて発明したものであって、ジェットバス装置等を設けることなく、また浴室に酸素富化空気供給用の開口部を別途設けることなく、酸素富化空気を浴室内に供給できる浴室空調システムを提供することを課題とするものである。
【課題を解決するための手段】
【０００５】
上記課題を解決するために本発明に係る浴室空調システムは、浴室２に設けた吸込口５ａ及び吹出口５ｂを通じて浴室２内の空調を行う浴室空調装置１と、浴室２の外部に設けられて大気を酸素富化膜に通すことで高酸素濃度の酸素富化空気を得る酸素富化装置３を備え、酸素富化装置３で得た酸素富化空気を吹出口５ｂから浴室２内に供給する浴室空調システムであって、吸込口５ａ及び吹出口５ｂを循環風路７を介して連通接続し、循環風路７に、吸込口５ａから浴室２内の空気を吸い込むと共に吸い込んだ空気を吹出口５ｂから浴室２内に吹き出すファン８と、加熱手段を設け、循環風路７におけるファン８よりも下流側の位置に浴室２の外部に通じる分岐風路１０を接続し、ファン８を運転して吸込口５ａから浴室２内の空気を吸い込むと共に吸い込んだ空気を加熱手段で加熱した後に吹出口５ｂから浴室２内に吹き出す暖房モードと、ファン８を運転して循環風路７に吸込口５ａから浴室２内の空気を吸い込んで、吸い込んだ空気の一部を分岐風路１０を介して浴室２の外部に排気すると共にその他を吹出口５ｂから浴室２内に吹き出す涼風モードを備え、酸素富化装置３は、酸素富化空気を空気供給路１４を介して分岐風路１０よりも上流側の循環風路７内に送ることで、酸素富化空気を暖房モード及び涼風モードにおいて運転されるファン８により吹出口５ｂから浴室２内に吹き出すものであって、空気供給路１４の下流端開口から滴下する水を乾燥する乾燥手段として、分岐風路１０よりも上流側の循環風路７に、空気供給路１４の下流端開口の下方に位置して、空気供給路１４から滴下した水を受ける水受け部１５を設けたことを特徴とする。
【０００６】
この構成を有することで、酸素富化装置３で生成した酸素富化空気を浴室空調装置１が有する空調用開口５を利用して浴室２内に供給できる。また、ファン８により浴室２内の空気を循環して空調を行うことができ、また酸素富化装置３とファン８を同時に運転することで、酸素富化空気をファン８によって流れる空気と共に浴室２全体に送り出すことができる。また、例えば冬季において入浴前に浴室空調装置１を暖房モードで運転することで浴室２内を予備暖房でき、この予備暖房時に酸素富化装置３から循環風路７内に酸素富化空気を供給して、吹出口５ｂから浴室２内に吹き出すことができる。また、例えば夏季において入浴中に浴室空調装置１を涼風モードで運転することで、浴室２内の空気の一部を分岐風路１０から排気すると共に浴室ドアのガラリ等から外気を取り入れつつ、浴室２内の空気を循環させ、これにより吹出口５ｂから浴室２内に涼風を送ることができ、この涼風時に酸素富化装置３から循環風路７内に酸素富化空気を供給できる。また、酸素富化膜の透過速度は酸素よりも水蒸気の方が速く、酸素富化装置３の運転時に空気供給路１４から結露水が滴下する恐れがあるが、仮にこのように結露水が滴下したとしても、この水を乾燥手段により乾燥できる。すなわち、ファン８の運転により生じた風により水受け部１５内の水を乾燥できる。また、加熱手段で加熱された高温の風により水受け部１５内の水を乾燥できる。
【０００７】
また請求項２は請求項１において、酸素富化装置３を浴室空調装置１とは別体にして、浴室空調装置１と酸素富化装置３を空気供給路１４を介して接続し、酸素富化装置３は空気供給路１４を介して浴室空調装置１に送るポンプを備え、空気供給路１４の途中に消音タンク２１を設けて成ることを特徴とする。ポンプの騒音が空気供給路１４を介して浴室空調装置１側に伝わることを防止できる。
【発明の効果】
【０００８】
請求項１に係る発明では、ジェットバス装置等を設けることなく、また浴室に酸素富化空気供給用の開口部を別途設けることなく、酸素富化空気を浴室内に供給でき、浴室内の酸素濃度を高めて入浴者の心肺機能の負担を軽減できる。また、ファンにより浴室内の空気を循環して空調を行うことができ、酸素富化装置で得た酸素富化空気をこのような空調を行うために必要な吹出口を利用して浴室内に供給できる。また酸素富化装置とファンを同時に運転することで、酸素富化空気を循環空気と共に吹出口から吹き出し、浴室全体に送り出すことができ、この場合、酸素富化装置で発生した酸素富化空気を浴室全体に均一に充満させることができる。また、例えば冬季において浴室空調装置を暖房モードで運転することで入浴前に浴室内を予備暖房でき、この予備暖房時に吹出口から加熱された循環空気と共に酸素富化空気を吹き出すことができ、入浴前に浴室の予備暖房を行うと共に入浴前の浴室全体の酸素濃度を高めることができる。また、例えば夏季において入浴中に浴室空調装置を涼風モードで運転することで、浴室内に涼風を送ることができ、この涼風時に吹出口から涼風となった循環空気と共に酸素富化空気を吹き出すことができ、入浴中の浴室に涼風を送ると共に該浴室の酸素濃度を高めることができる。また、酸素富化装置３の運転時に空気供給路から結露水が滴下しても、この水を乾燥手段により乾燥でき、浴室内に結露水が滴下することを防止できる。すなわち、浴室空調装置１が有するファンを利用して空気供給路から滴下する水を乾燥できる。また、高温の風により水受け部内の水を速やかに乾燥できる。
【０００９】
また、請求項２に係る発明では、請求項１の発明において、ポンプの騒音が空気供給路を介して浴室空調装置側、ひいては浴室内に伝わることを防止できる。
【発明を実施するための最良の形態】
【００１０】
以下、本発明を添付図面に示す実施形態に基づいて説明する。本例の浴室空調システムは図１に示す浴室空調装置１と該浴室空調装置１とは別体の酸素富化装置３を備えている。
【００１１】
浴室空調装置１は、浴室２内の空気を外部に排出して換気を行う換気機能、浴室２内の空気の一部を外部に排出しつつ浴室２内に涼風を送って入浴者に涼感を与える涼風機能、浴室２内の空気の一部を外部に排出しつつ浴室２内に温風を送って浴室２内にある衣類等を乾燥させる乾燥機能、浴室２内の空気を循環すると共に浴室２内に温風を送って入浴前の暖房を行う暖房機能を備えたものであり、涼風機能付きの浴室暖房換気乾燥機として機能する。
【００１２】
浴室空調装置１はユニットバスルーム等からなる浴室２の天井の上に設置され、浴槽１３の上方に位置している。浴室空調装置１は図２に示すケーシング４で外郭を構成している。ケーシング４の下面には空調用開口５として片側に吸込口５ａを設けると共に他側に吹出口５ｂを設けてあり、吸込口５ａ及び吹出口５ｂはケーシング４を浴室２の天井を介して浴室２内に向けて下方に開口している。ケーシング４内には一端を吸込口５ａに接続すると共に他端を吹出口５ｂに接続する循環風路７を形成している。循環風路７の吸込口５ａの上方位置には遠心ファン等からなるファン８を設けてあり、後述のダンパ１２を図２（ｂ）や図２（ｃ）の状態とした場合には、ファン８を運転することで吸込口５ａから浴室２内の空気を吸い込むと共にこの吸い込んだ空気を吹出口５ｂから浴室２内に吹き出せるようになっている。循環風路７のファン８よりも下流側の吹出口５ｂの上方位置には循環風路７内を流れる空気を加熱する加熱手段として電気ヒータ９を設けている。
【００１３】
ケーシング４内には一端を循環風路７のファン８よりも下流側で且つヒータ９よりも上流側に連通接続した分岐風路１０を形成している。分岐風路１０の他端はケーシング４の吹出口５ｂ側の側面に設けた屋外へと通じる排気口１１に接続されている。循環風路７において排気口１１側と吹出口５ｂ側に分岐する部分には回動自在となったダンパ１２を設けている。ダンパ１２は図示しないモータ等の駆動手段によりその回動角度を、図２（ａ）〜（ｃ）の３つの状態に変更できるようになっている。つまりダンパ１２は駆動手段を駆動することで、図２（ａ）に示すようにその曲面部１２ａで吹出口５ｂ側を閉塞すると共に排気口１１側を開放してファン８からの風を排気口１１側のみに送る状態、又は図２（ｂ）に示すように吹出口５ｂ側及び排気口１１側を共に開放してファン８からの風を吹出口５ｂ側と排気口１１側の両方に送る状態、又は図２（ｃ）に示すように吹出口５ｂ側を開放すると共に前記曲面部１２ａで排気口１１側を閉塞してファン８からの風を吹出口５ｂ側にのみ送る状態に切り替えられるようになっている。
【００１４】
酸素富化装置３は上記浴室空調装置１と離れた天井の上に設置される。酸素富化装置３としては例えば特開２００５−３２４００１号公報等に示されるような従来から利用されている公知のものを利用する。即ち酸素富化装置３は酸素富化膜と真空ポンプとで主体が構成されており、真空ポンプで大気中の空気を取り入れて有機高分子の平膜のような酸素富化膜に空気を通すことで酸素が富化された空気を得ることができるようになっている。空気を酸素富化膜に通す時、酸素と窒素とは減速するが、酸素は窒素の約２．５倍の速度で通過する。これにより通常の大気中の空気は窒素が７８％、酸素が２１％であったのが、酸素富化膜によって窒素が６９％、酸素が３０％の空気となり、高酸素濃度の空気が得られる。
【００１５】
図１に示すように上記酸素富化装置３と浴室空調装置１はエアチューブからなる空気供給路１４で接続され、酸素富化装置３で得た酸素富化空気は真空ポンプを運転することで空気供給路１４を介して循環風路７内に供給されるようになっている。空気供給路１４の下流側端部はケーシング４内に導入してあり、その下流端開口は循環風路７のファン８よりも下流側で且つダンパ１２よりも上流側の位置で下方に向けて開口している。
【００１６】
また酸素富化装置３は内装した真空ポンプの騒音が浴室２の天井に伝わらないようにするために防振用ゴム２０を介して浴室２に設置されている。さらには浴室空調装置１と別体の酸素富化装置３を接続する空気供給路１４の途中には真空ポンプで発生する騒音が浴室空調装置１側に伝わることを防止するための消音タンク２１を設けている。
【００１７】
上記浴室空調装置１のファン８、ヒータ９、ダンパ１２の駆動手段、酸素富化装置３の真空ポンプ等は図示しない制御回路に接続され、制御回路は脱衣室等の浴室２に隣接する部屋に設置されたリモコン２２が操作された場合に操作信号に基づいてこれらファン８、ヒータ９、ダンパ１２の駆動手段、酸素富化装置３の真空ポンプを制御する。なお図１中２４は浴室空調装置１と酸素富化装置３を接続する中継ケーブルであり、２５は浴室空調装置とリモコンを接続する信号線である。
【００１８】
リモコン２２は図４に示すように操作釦２３として、換気釦２３ａ、乾燥釦２３ｂ、涼風釦２３ｃ、暖房釦２３ｄ、酸素釦２３ｅ、切釦２３ｆを備えている。換気釦２３ａ、乾燥釦２３ｂ、涼風釦２３ｃ、暖房釦２３ｄのうち任意の操作釦２３を操作することで、
各操作釦２３に対応する換気モード、涼風モード、乾燥モード、暖房モード（予備暖房モード）、のいずれかのモードで運転が開始されるように設定してあり、各モードでの運転時に切釦２３ｆを操作することで各モードにおいて運転状態にあるファン８、ヒータ、酸素富化装置３等を停止する。なお各モードの運転はタイマにより停止できるようにしても良い。
【００１９】
換気モードでは、ファン８を運転し、ダンパ１２を図２（ａ）のように配置し、またヒータ９、酸素富化装置３（真空ポンプ）は運転しない。これにより図２（ａ）及び図３（ａ）に示すように浴室２内の空気は吸込口５ａから循環風路７内に吸い込まれ、その全てが分岐風路１０を通って排気口１１から排気され、浴室２内が換気される。なお換気モードでは換気釦２３ａを操作することでファン８による送風量を強又は弱のいずれかに変更できるようになっている。
【００２０】
涼風モードでは、ファン８及び酸素富化装置３（真空ポンプ）を運転し、ダンパ１２を図２（ｂ）のように配置し、またヒータ９は運転しない。これにより図２（ｂ）及び図３（ｂ）に示すように浴室２内の空気は吸込口５ａから循環風路７内に吸い込まれ、一部（約半分）が分岐風路１０を通って排気口１１から排気され、その他が吹出口５ｂから浴室２内に吹き出される。従って例えば夏季において浴室空調装置１を涼風モードで運転することで、入浴者が居る浴室２内に涼風を送ることができる。またこの時、酸素富化装置３で酸素富化空気が生成されると共にこの酸素富化空気が空気供給路１４を介して循環風路７に供給され、この酸素富化空気は、ファン８により循環風路７内を流れる涼風用の空気と共に吹出口５ｂから浴室２内に吹き出される。即ちこの場合は酸素富化装置３の真空ポンプ及びファン８が酸素富化空気を浴室２内に供給するための酸素富化空気供給手段となる。
【００２１】
乾燥モードでは、ファン８及びヒータ９を運転し、ダンパ１２を図２（ｂ）のように配置し、また酸素富化装置３（真空ポンプ）は運転しない。これにより図２（ｂ）及び図３（ｂ）に示すように浴室２内の空気は吸込口５ａから循環風路７内に吸い込まれ、一部が分岐風路１０を通って排気口１１から排気され、その他がヒータ９で加熱された後、吹出口５ｂから浴室２内に吹き出され、これにより浴室２内や浴室２内の衣類を乾燥できるようになっている。
【００２２】
暖房モードでは、ファン８及びヒータ９を運転し、ダンパ１２を図２（ｃ）のように配置し、同時に酸素富化装置３（真空ポンプ）の運転を開始する。これにより図２（ｃ）及び図３（ｃ）に示すように浴室２内の空気は吸込口５ａから循環風路７内に吸い込まれ、その全てがヒータ９で加熱された後、吹出口５ｂから浴室２内に吹き出される。従って例えば冬季において浴室空調装置１を暖房モードで運転することで入浴前に浴室２内を予備暖房できる。またこの時、酸素富化装置３で酸素富化空気が生成されると共にこの酸素富化空気が空気供給路１４を介して循環風路７に供給され、この酸素富化空気は、ファン８により循環風路７内を流れる暖房用の空気と共に吹出口５ｂから浴室２内に吹き出される。なおこの暖房モード及び前述の涼風モードでの運転時における酸素富化装置３（真空ポンプ）のＯＮ・ＯＦＦは酸素釦２３ｅの操作により切替可能であり、暖房モード開始後又は涼風モード開始後は酸素釦２３ｅを操作することで浴室２内に酸素富化空気を供給するか否かを切替えられるようになっている。
【００２３】
また浴室空調装置１の運転停止時におけるダンパ１２は図２（ｃ）のように配置されるものとする。またこのようにダンパ１２を図２（ｃ）のように配置した状態にある浴室空調装置１の停止時においては、酸素釦２３ｅの操作により酸素富化装置３（真空ポンプ）のＯＮ・ＯＦＦを切替えられるようにしている。
【００２４】
以上説明したように、本発明の浴室空調システムでは、浴室２に設けた空調用開口５（吸込口５ａ及び吹出口５ｂ）を通じて暖房、涼風、換気、乾燥等の浴室２内の空調を行う浴室空調装置１と、浴室２の外部に設けられて大気から高酸素濃度の酸素富化空気を得る酸素富化装置３を備え、酸素富化装置３で得た酸素富化空気を空調用開口５から浴室２内に供給するための酸素富化空気供給手段を設けたので、浴室空調装置１を利用して酸素富化装置３で得た酸素富化空気を浴室２内に供給でき、入浴者の心肺機能の負担を軽減できる。またこの酸素富化空気は空調に利用される空調用開口５を通じて浴室２内に供給されるので、浴室２に酸素富化空気供給用の開口部を別途設ける必要がない。また既述したように浴室空調装置１の停止時において酸素富化装置３を運転して浴室２内に酸素富化空気を供給することもできる。
【００２５】
また浴室空調装置１によって浴室２内の空気を循環させる涼風モードや暖房モードでの運転時においては、酸素富化装置３から循環風路７に供給された酸素富化空気を浴室空調装置１に設けた浴室２内の空気を循環させるファン８により吹出口５ｂから浴室２内に吹き出すことができ、酸素富化装置３で発生した酸素富化空気を浴室２全体に均一に充満させることができる。また特に暖房モードでの運転時においては、浴室２を暖房すると共に浴室２内に酸素富化空気を送ることができ、しかもこの場合、ファン８により浴室２全体に酸素富化空気を送ることができるので、浴槽１３近傍だけではなく洗い場にも酸素富化空気を供給できる。また特に涼風モードでの運転時においては、浴室２に涼風と酸素富化空気を同時に送ることができ、しかもこの場合、ファン８により浴室２全体に酸素富化空気を送ることができるので、浴槽１３に居る人に対してだけではなく洗い場に居る人に対しても酸素富化空気を供給できる。
【００２６】
ところで上記酸素富化装置３は大気を気体分離膜からなる酸素富化膜に通過させることで高酸素濃度の酸素富化空気を得るものであり、この酸素富化膜の透過速度は酸素よりも水蒸気の方が速い。従ってこのような酸素富化装置３を上記のように浴室空気循環装置に設けた場合、空気供給路１４内の水蒸気量が増加して結露が発生し、この結露によって生じた水が循環風路７内、ひいては浴室２内に滴下する恐れがある。
【００２７】
そこで本例では上記浴室空調装置１に空気供給路１４から循環風路７内に滴下する水を乾燥する乾燥手段を設けている。乾燥手段は、循環風路７の空気供給路１４の下流端開口の下方の位置に設けた容器状の水受け部１５と、この水受け部１５に風を送る前述のファン８とからなり、空気供給路１４から滴下する水を上方に開口する水受け部１５で受けて、この水受け部１５に貯めた水をファン８を運転することで生じた風により乾燥できるようになっている。なお酸素富化装置３の運転時において空気供給路１４から滴下する水滴の量は例えば１回の運転（３０分間）で１〜２ｃｃ程度のため、水受け部１５は比較的浅いものであっても良く、つまり空気供給路１４から滴下した水滴を十分に貯めることができる容量があれば良い。
【００２８】
上記乾燥手段により空気供給路１４から滴下する水を乾燥できるので、空気供給路１４の下流端から滴下した結露水が循環風路７を経て浴室２内に落下することを防止できる。またこの乾燥手段を構成する水受け部１５はファン８の下流側で且つファン８から送られた風が水受け部１５の直上を通過する位置に配置してあるので、より一層水受け部１５の水を乾燥できる。さらには空気供給路１４の下流端開口は下方の水受け部１５の底部に向けて開口しているので、酸素富化装置３の運転により空気供給路１４の下流端開口から噴出された酸素富化空気よりなる風を水受け部１５に溜まった水に当てることができ、より一層水受け部１５の水を乾燥できるようになっている。なお、上記ファン８による水受け部１５内の水の乾燥は既述の換気モード、涼風モード、乾燥モード、暖房モードで運転されるファン８により行っても良いし、さらには浴室空調装置１の停止時において結露水を乾燥するためにファン８を運転できるようにしても良い。またこの時、ヒータ９を運転しても良く、この場合は、温度の高い空気で水受け部１５内の水を効率良く乾燥できる。
【００２９】
なお既述の実施例における浴室空調装置１は、浴室２内の空気を循環して涼風、暖房、乾燥を行う循環機能と、浴室２内の空気を排気して換気を行う換気機能の両方を備えたものであるが、浴室空調装置１としては循環機能及び換気機能のうちいずれか一方のみを備えたものであっても良く、つまり浴室空調装置１は前記循環機能及び換気機能のうち少なくともいずれか一方を備えたものであれば良い。
【００３０】
また上記実施例では涼風モード及び暖房モードでの運転を開始した時に酸素富化装置３の運転を自動的に開始するように設定したが、この時酸素富化装置３は停止状態のままであっても良い。さらにこの場合は浴室空調装置１の停止時における酸素釦２３ｅの操作により、以下に示す酸素モードによる運転を開始しても良い。
【００３１】
酸素モードでは、酸素富化装置３の真空ポンプを運転し、ダンパ１２を図２（ｃ）のように配置する。ここで酸素モードの運転が要求された場合、ファン８は運転又は停止のどちらの状態としても良いし、またファン８を運転するか否かを操作部を操作する等して変更できるようにしても良い。またこの場合、ヒータ９は運転又は停止のどちらの状態としても良いし、またヒータ９を運転するか否かを操作部を操作する等して変更できるようにしても良い。
【図面の簡単な説明】
【００３２】
【図１】本発明の実施形態の一例の浴室空調システムの説明図である。
【図２】同上の浴室空調装置を示し、（ａ）は換気モードでの運転時状態を示す説明図、（ｂ）は涼風モード及び乾燥モードでの運転時の状態を示す説明図、（ｃ）は暖房モードでの運転時の状態を示す説明図である。
【図３】同上の浴室空気循環装置を備えた浴室を示し、（ａ）は換気モードでの運転時の状態を示す説明図、（ｂ）は涼風モード及び乾燥モードでの運転時の状態を示す説明図、（ｃ）は暖房モードでの運転時の状態を示す説明図である。
【図４】同上のリモコンの正面図である。
【符号の説明】
【００３３】
１  浴室空調装置
２  浴室
３  酸素富化装置
５  空調用開口
５ａ  吸込口
５ｂ  吹出口
７  循環風路
８  ファン
１４  空気供給路
１５  水受け部
【図１】
0004779903.tif 000002
【図２】
0004779903.tif 000003
【図３】
0004779903.tif 000004
【図４】
0004779903.tif 000005